(57)【要約】      （修正有）【課題】２枚の扉の回転方向の半径を小さくしてアダプタ本体の全体の奥行寸法を短くすることができ、しかも２枚の扉のプラグ挿入口側に対する強固な結合が得られるものとしたシャッタ付き光アダプタを提供する。【解決手段】角形筐体状の光コネクタプラグが挿入される横長矩形開口状のプラグ挿入口２を有するアダプタ本体１Ａに、プラグ挿入口２を塞ぐためのシャッタ３が開閉自在に装備され且つ弾性部材４によって互いに閉じ方向に付勢されてなるシャッタ付き光アダプタであって、シャッタ３は、プラグ挿入口２に挿入される光コネクタプラグによってシャッタ３が押し込まれた際にそれぞれ内側に回動する上下に２分割して縦配置となした２枚の扉３Ａ、３Ｂによって構成される。【選択図】図１
2018151560.tif 000002
【特許請求の範囲】
【請求項１】
光コネクタプラグが挿入されるプラグ挿入口を有するアダプタ本体に、前記プラグ挿入口を塞ぐためのシャッタが開閉自在に装備され且つ弾性部材によって互いに閉じ方向に付勢されてなるシャッタ付き光アダプタであって、前記シャッタは、前記プラグ挿入口に挿入される光コネクタプラグによって当該シャッタが押し込まれた際にそれぞれ内側に回動するよう、上下に２分割して縦配置となした２枚の扉によって構成されており、前記アダプタ本体は、前記プラグ挿入口から前方に向けて左右側壁部が延設され、且つ左右側壁部の各先端部分の上下両端に軸孔が各形成されてなる外部ハウジングを備え、前記左右側壁部の互いに対向する各上側の軸孔に、前記シャッタの上側扉の両端に形成した突軸が枢着され、一方前記左右側壁部の互いに対向する各下側の軸孔に、前記シャッタの下側扉の左右両端に形成した突軸が枢着されていることを特徴とするシャッタ付き光アダプタ。
【請求項２】
前記シャッタの上下２枚の扉は、互いに閉じ方向に回動した際に扉先端同士が内方に向けて略鈍角Ｖ字状となって接合する縦幅を有し、各先端部には面密着する平面部を有してなる請求項１に記載のシャッタ付き光アダプタ。
【請求項３】
前記アダプタ本体は、前記シャッタ及び前記左右側壁部を前方側から覆うように前記外部ハウジングに外嵌合されるカバーを備え、このカバーの前側開口端の左右対向位置には、互いに閉じ方向に回動した上下２枚の扉を係止するための開口縁部を有し、該開口縁部の各中央には略鈍角Ｖ字状の窪み部を形成してなる請求項１または請求項２に記載のシャッタ付き光アダプタ。
【請求項４】
前記カバーは、その上壁面及び下壁面に係合孔部が各形成され、これら係合孔部に対応して、前記外部ハウジングの上壁面及び下壁面に係止突起が各形成され、前記カバーの前記外部ハウジングへの外嵌合時には、各係止突起が各係合孔部に係合されてなる請求項３に記載のシャッタ付き光アダプタ。
【請求項５】
前記外部ハウジングは、そのプラグ挿入口の後端側から嵌挿される内部ホルダを備え、該内部ホルダの両端側から各挿入されるプラグ本体相互の光学基準面を互いに一致させるよう形成してなる請求項１記載のシャッタ付き光アダプタ。
【請求項６】
前記内部ホルダは、外部上壁面および外部下壁面の前端に複数のガイド溝を備え、前記外部ハウジングの内部上壁面および内部下壁面の前端に係止突起が、前記内部ホルダのガイド溝に係脱自在に嵌合するよう形成してなる請求項１または請求項５記載のシャッタ付き光アダプタ。
【請求項７】
前記内部ホルダの外部上壁面および外部下壁面に形成されたガイド溝の後端に、前記外部ハウジング内部の係止突起を嵌合したとき、前記内部ホルダの押込み方向のストッパ部として機能する係止受部を形成してなる請求項５または請求項６記載のシャッタ付き光アダプタ。
【請求項８】
前記内部ホルダの外部上壁面および外部下壁面に形成されたガイド溝の後部側前方に、側面視略直角三角形状の係止突起が形成され、該係止突起後面に、前記外部ハウジング内部の係止突起を嵌合したとき、前記内部ホルダの引張り方向のストッパとして機能する係止受部を形成してなる前記請求項５乃至７記載のシャッタ付き光アダプタ。
【発明の詳細な説明】
【技術分野】
【０００１】
本発明は、例えばＭＰＯ型のプッシュプル方式等の光コネクタプラグのプラグ挿入口を両端に有して二つの光ファイバ同士を光学的に接続するために使用されるものであって、使用時には光コネクタプラグを一方のプラグ挿入口に挿入することでシャッタが開放されて、他のプラグ挿入口に挿入されている光ファイバケーブルと光結合され、非使用時には光コネクタプラグを引き抜くことで一方の挿入口がシャッタにより塞がれる光コネクタ用のシャッタ付き光アダプタに関する。
【背景技術】
【０００２】
従来、ＭＰＯ型の光コネクタ用アダプタは、図１１及び図１２に示すように、左右両側面の中央にフランジＦを有する横長矩形筐体状のハウジングＨの両端に、光コネクタプラグ（図示せず）を挿入する内部にキー溝Ｋ付きのプラグ挿入口１００を備え、両プラグ挿入口１００に挿入されるそれぞれの光コネクタプラグの光学基準面を互いに一致させるように嵌合位置に保持するためのアーム状係止片１０１を各プラグ挿入口１００内部の左右対称位置に設けた構造とされている。
【０００３】
このとき、一方のプラグ挿入口１００に光コネクタプラグを挿入していない状態では、他方のプラグ挿入口１００に接続されている光コネクタプラグに関連する光学部品が動作状態にあると、一方のプラグ挿入口１００まで有害なレーザビーム（例えば５ｍＷ以上）が導かれ、当該プラグ挿入口１００へ光ファイバコネクタを嵌入する作業の際に、作業者の身体、特に光ケーブルからの光を直視することで目に重大な危害を与える虞があった。また、挿通された光ケーブル（フェルール・光ファイバ）の先端部が塵埃の付着によって不具合を生じさせる等の虞もあった。
【０００４】
このような危険を避けるため、従来では特許文献１に示すように、光コネクタプラグが光接続部品本体（アダプタ本体）のプラグ挿入口に挿入された際に、内側に回動する２枚の扉を横配置させた構成による観音開き式のシャッタを備え、このシャッタの２枚の扉は、光接続部品本体（アダプタ本体）側の係止溝に係止可能なロックアームが設けられたマスク部材をプラグ挿入口に被せることにより、光接続部品本体のプラグ挿入口側に形成した凹部に２枚の扉の上下両端に設けられた凸部を係合して固定したシャッタ付き光接続部品なるものがある。
【先行技術文献】
【特許文献】
【０００５】
【特許文献１】特許第３８４６５９５号公報
【発明の概要】
【発明が解決しようとする課題】
【０００６】
しかしながら、従来における特許文献１に示す２枚の扉を横配置させた構成による観音開き式のシャッタにおいては、アダプタ本体のプラグ挿入口が横長の開口形状であり、プラグ挿入口に挿入される光コネクタプラグによって当該シャッタが押し込まれた際にそれぞれ内側に回動する左右に２分割して横配置となした２枚の扉によって構成されるため、これによって２枚の扉の回転方向の半径が大きくなってしまい、アダプタ本体の全体の奥行寸法が長くなる欠陥がある。
【０００７】
また、アダプタ本体のプラグ挿入口に被せるマスク部材には、光接続部品本体（アダプタ本体）側の係止溝に係止させるための長尺のロックアームが形成されているため、マスク部材の構成自体が煩雑化、大型化且つ高コスト化するという欠陥がある。
【０００８】
しかも、アダプタ本体のプラグ挿入口側に形成した正面側開口の凹部に２枚の扉の上下両端に設けられた凸部を係合して、前記プラグ挿入口に被せたマスク部材で保持しているだけなので、前記凸部から凹部が外れ易く、扉のプラグ挿入口側に対する強固な結合が得られないという欠陥がある。
【０００９】
そこで、本発明は、叙上のような従来存した諸事情に鑑み案出されたもので、２枚の扉の回転方向の半径を小さくしてアダプタ本体の全体の奥行寸法を短くすることができ、従来のロックアームが無い点で、より簡略化、小型化且つ低コスト化したプラグ挿入口側のカバーを形成することができ、しかも２枚の扉のプラグ挿入口側に対する強固な結合が得られるとともに、光コネクタプラグの光学基準面を確実に一致させるものとしたシャッタ付き光アダプタを提供することを目的とする。
【課題を解決するための手段】
【００１０】
上述した課題を解決するために、本発明にあっては、光コネクタプラグが挿入されるプラグ挿入口を有するアダプタ本体に、前記プラグ挿入口を塞ぐためのシャッタが開閉自在に装備され且つ弾性部材によって互いに閉じ方向に付勢されてなるシャッタ付き光アダプタであって、前記シャッタは、前記プラグ挿入口に挿入される光コネクタプラグによって当該シャッタが押し込まれた際にそれぞれ内側に回動するよう、上下に２分割して縦配置となした２枚の扉によって構成されており、前記アダプタ本体は、前記プラグ挿入口から前方に向けて左右側壁部が延設され、且つ左右側壁部の各先端部分の上下両端に軸孔が各形成されてなる外部ハウジングを備え、前記左右側壁部の互いに対向する各上側の軸孔に、前記シャッタの上側扉の両端に形成した突軸が枢着され、一方前記左右側壁部の互いに対向する各下側の軸孔に、前記シャッタの下側扉の左右両端に形成した突軸が枢着されていることを特徴とする。
【００１１】
前記シャッタの上下２枚の扉は、互いに閉じ方向に回動した際に扉先端同士が内方に向けて略鈍角Ｖ字状となって接合する縦幅を有し、各先端部には面密着する平面部を有してなる。
【００１２】
前記アダプタ本体は、前記シャッタ及び前記左右側壁部を前方側から覆うように前記外部ハウジングに外嵌合されるカバーを備え、このカバーの前側開口端の左右対向位置には、互いに閉じ方向に回動した上下２枚の扉を係止するための開口縁部を有し、該開口縁部の各中央には略鈍角Ｖ字状の窪み部を形成してなる。
【００１３】
前記カバーは、その上壁面及び下壁面に係合孔部が各形成され、これら係合孔部に対応して、前記外部ハウジングの上壁面及び下壁面に係止突起が各形成され、前記カバーの前記外部ハウジングへの外嵌合時には、各係止突起が各係合孔部に係合されてなる。
【００１４】
前記外部ハウジングは、そのプラグ挿入口の後端側から嵌挿される内部ホルダを備え、該内部ホルダの両端側から各挿入されるプラグ本体相互の光学基準面を互いに一致させるよう形成してなる。
【００１５】
前記内部ホルダは、外部上壁面および外部下壁面の前端に複数のガイド溝を備え、前記外部ハウジングの内部上壁面および内部下壁面の前端に係止突起が、前記内部ホルダのガイド溝に係脱自在に嵌合するよう形成してなる。
【００１６】
前記内部ホルダの外部上壁面および外部下壁面に形成されたガイド溝の後端に、前記外部ハウジング内部の係止突起を嵌合したとき、前記内部ホルダの押込み方向のストッパ部として機能する係止受部を形成してなる。
【００１７】
前記内部ホルダの外部上壁面および外部下壁面に形成されたガイド溝の後部側前方に、側面視略直角三角形状の係止突起が形成され、該係止突起後面に、前記外部ハウジング内部の係止突起を嵌合したとき、前記内部ホルダの引張り方向のストッパとして機能する係止受部を形成してなる。
【発明の効果】
【００１８】
本発明によれば、２枚の扉の回転方向の半径を小さくしてアダプタ本体の全体の奥行寸法を短くすることができ、従来技術のように大型のロックアームが無い点で、より簡略化、小型化且つ低コスト化したプラグ挿入口側のカバーを形成することができ、しかも２枚の扉のプラグ挿入口側に対する強固な結合が得られるとともに、光コネクタプラグの光学基準面を確実に一致させるものとすることができる。
【００１９】
すなわち、本発明においては、光コネクタプラグが挿入されるプラグ挿入口を有するアダプタ本体に、前記プラグ挿入口を塞ぐためのシャッタが開閉自在に装備され且つ弾性部材によって互いに閉じ方向に付勢されてなるシャッタ付き光アダプタであって、前記シャッタは、前記プラグ挿入口に挿入される光コネクタプラグによって当該シャッタが押し込まれた際にそれぞれ内側に回動するよう、上下に２分割して縦配置となした２枚の扉によって構成されており、前記アダプタ本体は、前記プラグ挿入口から前方に向けて左右側壁部が延設され、且つ左右側壁部の各先端部分の上下両端に軸孔が各形成されてなる外部ハウジングを備え、前記左右側壁部の互いに対向する各上側の軸孔に、前記シャッタの上側扉の両端に形成した突軸が枢着され、一方前記左右側壁部の互いに対向する各下側の軸孔に、前記シャッタの下側扉の左右両端に形成した突軸が枢着されているので、上下２枚の扉のプラグ挿入口側に対する強固な結合が得られる。
【００２０】
前記シャッタの上下２枚の扉は、互いに閉じ方向に回動した際に扉先端同士が内方に向けて略鈍角Ｖ字状となって接合する縦幅を有し、各先端部には面密着する平面部を有してなるので、扉先端同士の接合時において上下両扉の接合ズレや先端部の歪み等による隙間を生じさせることが無い。
【００２１】
前記アダプタ本体は、前記シャッタ及び前記左右側壁部を前方側から覆うように前記外部ハウジングに外嵌合されるカバーを備え、このカバーの前側開口端の左右対向位置には、互いに閉じ方向に回動した上下２枚の扉を係止するための開口縁部を有し、該開口縁部の各中央には略鈍角Ｖ字状の窪み部を形成してなるので、アダプタ本体から光コネクタプラグを抜去する際の指先による摘み面積を上記窪み部によって広くすることができ操作性に優れている。
【００２２】
前記カバーは、その上壁面及び下壁面に係合孔部が各形成され、これら係合孔部に対応して、前記外部ハウジングの上壁面及び下壁面に係止突起が各形成され、前記カバーの前記外部ハウジングへの外嵌合時には、各係止突起が各係合孔部に係合されてなるので、前記カバーと前記アダプタ本体のロック機構の簡略化、小型化且つ低コスト化が図れる。
【００２３】
前記外部ハウジングは、そのプラグ挿入口の後端側から嵌挿される内部ホルダを備え、該内部ホルダの両端側から各挿入されるプラグ本体相互の光学基準面を互いに一致させるよう形成してなるので、内部ホルダの両端開口部から嵌合される光コネクタプラグのフェルール同士がズレ無く当接保持することができる。
【００２４】
前記内部ホルダは、外部上壁面および外部下壁面の前端に複数のガイド溝を備え、前記外部ハウジングの内部上壁面および内部下壁面の前端に係止突起が、前記内部ホルダのガイド溝に係脱自在に嵌合するよう形成してなるので、前記外部ハウジング内部に内部ホルダを正確且つ容易に組み立てることができる。
【００２５】
前記内部ホルダの外部上壁面および外部下壁面に形成されたガイド溝の後端に、前記外部ハウジング内部の係止突起を嵌合したとき、前記内部ホルダの押込み方向のストッパ部として機能する係止受部を形成してなるので、前記外部ハウジング内部に内部ホルダを所定の位置で正確且つ容易に組み込んで固定することができる。
【００２６】
前記内部ホルダの外部上壁面および外部下壁面に形成されたガイド溝の後部側前方に、側面視略直角三角形状の係止突起が形成され、該係止突起後面に、前記外部ハウジング内部の係止突起を嵌合したとき、前記内部ホルダの引張り方向のストッパとして機能する係止受部を形成してなるので、更に前記外部ハウジング内部に内部ホルダを所定の位置で正確且つ容易に組み込んで固定することができる。
【図面の簡単な説明】
【００２７】
【図１】本発明を実施するための一形態を示すアダプタ本体の分解斜視図である。
【図２】同じくアダプタ本体の内部ハウジングの底面斜視図である。
【図３】同じくアダプタ本体の外部ハウジングの正面図である。
【図４】同じくアダプタ本体の外部ハウジングを水平に半断面した斜視図である。
【図５】同じくアダプタ本体の外部ハウジングに内部ホルダを組み込んだ状態を示す斜視図である。
【図６】同じくアダプタ本体の組立後の状態を示す斜視図である。
【図７】同じくアダプタ本体の組立後の状態を示すもので、（ａ）は平面図、（ｂ）は側面図、（ｃ）は底面図、（ｄ）は正面図、（ｅ）は背面図である。
【図８】同じくアダプタ本体の組立後の断面状態を示すもので、（ａ）は図３に示す外部ハウジングのＡ−Ａに対応するアダプタ本体の側断面図、（ｂ）は図３に示す外部ハウジングのＢ−Ｂに対応するアダプタ本体の側断面図、（ｃ）は図３に示す外部ハウジングのＣ−Ｃに対応するアダプタ本体の側断面図である。
【図９】プラグ挿入シーケンスを示すもので、（ａ）はプラグを挿入している断面図、（ｂ）はプラグ挿入後の断面図である。
【図１０】アダプタ本体によって光コネクタプラグ同士を接続した状態の断面図である。
【図１１】従来例におけるＭＰＯ型の光アダプタのハウジングの下面斜視図である。
【図１２】同じく従来例におけるＭＰＯ型の光アダプタのハウジングを示し、（ａ）は平面図、（ｂ）は側面図、（ｃ）は底面図、（ｄ）は正面図、（ｅ）は背面図である。
【発明を実施するための形態】
【００２８】
以下、図面を参照して本発明の実施の一形態を図面に基づき詳細に説明する。
【００２９】
本実施形態においては、図１０に示すように、一対の対向するＭＰＯ型光コネクタ用プラグＰ（以後、プラグ本体Ｐと略称する）を相互接続するためのＭＰＯ型光コネクタ用のシャッタ付光アダプタ（以後、アダプタ本体１と略称する）を構成するものである。
【００３０】
アダプタ本体１は、図１に示すように、角形筐体状のＭＰＯ型のプラグ本体Ｐが挿入される横長矩形開口状のプラグ挿入口２を前後端に備え且つ該プラグ挿入口２前端を塞ぐためのシャッタ３が開閉自在に装備されてなる角筒状の外部ハウジング１Ａと、前記シャッタ３とともに前端側のプラグ挿入口２を覆うよう前記外部ハウジング１Ａに外嵌合される横長矩形開口状のカバー１Ｂと、前記外部ハウジング１Ａの後端側のプラグ挿入口２から内部に嵌挿される扁平筒型の内部ホルダ１Ｃとから概ね構成されている。
【００３１】
前記シャッタ３は、横長矩形開口状のプラグ挿入口２の前端を塞ぐ面積を有する板材を上下に２分割して縦配置となした横長矩形板状の２枚の扉３Ａ、３Ｂによって構成されており、前記プラグ挿入口２に挿入されるプラグ本体Ｐによって当該２枚の扉３Ａ、３Ｂが押し込まれた際にそれぞれ内側に回動するが、このとき本実施形態では、２枚の扉３Ａ、３Ｂの回転方向の半径が小さくなるよう形成されている。
【００３２】
すなわち、前記外部ハウジング１Ａは、前端側のプラグ挿入口２から前方に向けて左右側壁部５、６が延設され、且つ当該左右側壁部５、６の各先端部分の上下両端には軸孔７Ａ、７Ｂが各穿設されている。そして、これら左右側壁部５、６の互いに対向する各上側の軸孔７Ａに、前記シャッタ３の上側扉３Ａの両端に形成した突軸８Ａが枢着され、前記左右側壁部５、６の互いに対向する各下側の軸孔７Ｂに、前記シャッタ３の下側扉３Ｂの両端に形成した突軸８Ｂが枢着される。
【００３３】
また、前記扉３Ａ、３Ｂは、例えば板バネ等の弾性部材４によって互いに閉じ方向に付勢されている。具体的には、図８および図９に示すように、シャッタ３の扉３Ａ、３Ｂと突軸８Ａ、８Ｂとが連設されている略中央には矩形状の開口部１１Ａ、１１Ｂが形成され、該開口部１１Ａ、１１Ｂに、略Ｌ字形状に折曲して形成された金属製板バネによる弾性部材４が掛けられ、この一端をシャッタ３の扉３Ａ、３Ｂ内側面（裏面）に圧接させ、他端を外部ハウジング１Ａに外嵌合されるカバー１Ｂの内面に圧接させることで当該シャッタ３の扉３Ａ、３Ｂを閉鎖方向に付勢している。これにより、プラグ本体Ｐによって当該２枚の扉３Ａ、３Ｂが押し込まれた際には、カバー１Ｂの内側に向けて観音開きとなるように扉３Ａ、３Ｂは弾性部材４の付勢力に抗して回動する。
【００３４】
前記シャッタ３の上下２枚の扉３Ａ、３Ｂの各縦幅は、互いに閉じ方向に回動した際に扉先端同士が内方に向けて略鈍角Ｖ字状となって接合するような長さを有している。このような扉３Ａ、３Ｂ同士の略鈍角Ｖ字状の接合状態は、当該扉３Ａ、３Ｂを係止する後述するカバー１Ｂの開口縁部１０に形成された略鈍角Ｖ字状の窪み部１０Ａに対応している。また、前記扉３Ａ、３Ｂには、これらが互いに閉じ方向に回動した際に各先端部が隙間なく面密着するための平面部９Ａ、９Ｂに形成されている。
【００３５】
すなわち、前記カバー１Ｂは、前記したシャッタ３及び左右側壁部５、６を前方側から覆うように外部ハウジング１Ａに外嵌合されるものであり、前記カバー１Ｂの前側開口端の左右対向位置には、互いに閉じ方向に回動した上下２枚の扉３Ａ、３Ｂを略鈍角Ｖ字状の接合状態となるようにして係止するために、各中央正面に略鈍角Ｖ字状の窪み部１０Ａを形成した開口縁部１０が形成されている。
【００３６】
前記カバー１Ｂの上壁面の中央及び下壁面の左右対称位置には、矩形小孔状の係合孔部１２Ａが各形成されており、これら係合孔部１２Ａに対応して外部ハウジング１Ａの上壁面の中央及び下壁面の左右対称位置には、側面視略直角三角形状の３個（上壁面に１個、下壁面に２個）の係止突起１２Ｂが形成され、前記カバー１Ｂの外部ハウジング１Ａへの外嵌合時には、各係止突起１２Ｂが各係合孔部１２Ａに係合される。
【００３７】
前記内部ホルダ１Ｃは、両端側から各挿入されるプラグ本体Ｐ相互の光学基準面を互いに一致させる嵌合位置で両プラグ本体Ｐ（不図示のフェルール）を保持するために、互いに拡開する方向に撓曲自在な係止アーム１３が、前後開口側の左右対称位置に各先端が突出した状態で設けられている。
【００３８】
また、前記内部ホルダ１Ｃは、方向を定めて外部ハウジング１Ａのプラグ挿入口２の後端側から内部に嵌挿される。すなわち、図１に示すように、この内部ホルダ１Ｃの上壁面両側には、当該内部ホルダ１Ｃの前端に開口するよう、２本の短尺なガイド深底溝１４および長尺なガイド浅底溝１５とが各並列して形成されている。
【００３９】
前記短尺なガイド深底溝１４の後端には、前記内部ホルダ１Ｃの前方に向って係止受部１４Ａが形成されている。
【００４０】
一方、前記長尺なガイド浅底溝１５の後端やや前部側には、前記内部ホルダ１Ｃの後方に向って、つまり前記係止受部１４Ａと逆方向に面してストッパとして機能する係止受部１５Ａが形成されている。
【００４１】
前記係止受部１４Ａは、前記ガイド深底溝１４の後端に設けられた垂直な壁面部１４Ｂにて形成されるとともに、前記係止受部１５Ａは、前記ガイド浅底溝１５の後端やや前部側に設けられた係止突起１５Ｂの後面に形成されている。
【００４２】
すなわち、前記係止突起１５Ｂは、側面視略直角三角形状に形成され、前部のテーパ面１５Ｃと、中央部の水平頂面部１５Ｄと、後部の垂直壁面部１５Ｅとを備え、前記垂直壁面部１５Ｅが前記した係止受部１５Ａ（ストッパ）として機能するものとなっている。
【００４３】
また、図２に示すように、前記内部ホルダ１Ｃの下壁面には、当該内部ホルダ１Ｃの前端に開口するよう、短尺なガイド深底溝１６、ガイド中間底溝１７および長尺なガイド浅底溝１８、合計３本が各等間隔に並列して形成されている。
【００４４】
そして、前記短尺なガイド深底溝１６およびガイド中間底溝１７の後端には、前記上壁側のガイド深底溝１４およびガイド浅底溝１５と同形態、同機能の係止受部１６Ａ、１７Ａが各形成されている。一方、前記長尺なガイド浅底溝１８の後端やや前部側には、前記上壁側のガイド浅底溝１５と同形態、同機能の係止受部１８Ａが形成されている。
【００４５】
つまり、前記ガイド浅底溝１８の後方に、前記上壁側の係止突起１５Ｂと同様の側面視略直角三角形状の係止突起１８Ｂが設けられ、前記係止突起１８Ｂの後部垂直壁面部１８Ｃが前記係止受部１８Ａを形成する。
【００４６】
また、図４に示すように、前記外部ハウジング１Ａの内部の下壁前部には、前記内部ホルダ１Ｃの下壁面に設けられた短尺なガイド深底溝１６、ガイド中間底溝１７およびガイド浅底溝１８にスライド自在に嵌合する高さの異なる３個の係止突起１９が各々同間隔に並列して形成されている。
【００４７】
すなわち、前記係止突起１９は、前記内部ホルダ１Ｃの下壁面に設けられた短尺なガイド深底溝１６およびガイド中間底溝１７に嵌合する側の係止突起１９Ａ、１９Ｂが、前記外部ハウジング１Ａ内の下壁部前方において、これら溝１６、１７に適合するよう、同高且つ同長の直方体状に形成されている。一方、前記長尺なガイド浅底溝１８に嵌合する側の係止突起１９Ｃが、前記外部ハウジング１Ａ内の下壁部中央において、後部垂直面１９Ｄが前記係止受部１８Ａに係止されるよう側面視略直角三角形状に形成されている。
【００４８】
こうして、前記外部ハウジング１Ａの直方体状の係止突起１９Ａ、１９Ｂは、前記内部ホルダ１Ｃを嵌合したとき、当該内部ホルタ１Ｃの短尺なガイド深底溝１６、ガイド中間底溝１７の各係止受部１６Ａ、１７Ａに係止される。つまり、これら係止突起１９Ａ、１９Ｂの後端は、前記内部ホルダ１Ｃの押込み方向のストッパ部として機能するものとなっている。
【００４９】
また、前記外部ハウジング１Ａの側面視略直角三角形状の係止突起１９Ｃは、前記内部ホルダ１Ｃを嵌合したとき、当該内部ホルダ１Ｃの長尺なガイド浅底溝１８後方に設けられた係止受部１８Ａに係止される。つまり、この係止突起１９Ｃが係止される係止受部１８Ａは、前記内部ホルダ１Ｃの引張り方向のストッパ部として機能するものとなっている。
【００５０】
さらに、図４に示すように、前記外部ハウジング１Ａ内部の上壁部には、前記内部ホルダ１Ｃの上壁面に設けられた短尺なガイド深底溝１４および長尺なガイド浅底溝１５にスライド自在に嵌合する高さの異なる２個の係止突起２０が間隔を置いて各形成されている。
【００５１】
すなわち、前記係止突起２０は、前記内部ホルダ１Ｃの短尺のガイド深底溝１４に嵌合する側の係止突起２０Ａが、前記外部ハウジング１Ａ内の下壁部前方において、該溝１４と適合するよう、同高且つ同長の直方体状に形成されている。この係止突起２０Ａは前記外部ハウジング１Ａ内の下壁部に設けられた係止突起１９Ａと同形、同大に形成されている。
【００５２】
そして、この係止突起２０Ａは、当該内部ホルダ１Ｃが外部ハウジング１Ａに嵌合したとき、前記内部ホルダ１Ｃのガイド深底溝１４後方に設けられた係止受部１４Ａに係止される。つまり、この係止突起２０Ａが係止される係止受部１４Ａは、前記内部ホルダ１Ｃの押込み方向のストッパ部として機能するものとなっている。
【００５３】
一方、前記係止突起２０は、前記内部ホルダ１Ｃの長尺のガイド浅底溝１５に嵌合する側の係止突起２０Ｂが、前記外部ハウジング１Ａ内の上壁部中央において、後部垂直面２０Ｃが前記係止受部１５Ａに係止されるよう側面視略直角三角形状に形成されている。
【００５４】
前記外部ハウジング１Ａの側面視略直角三角形状の係止突起２０Ｂも、前記係止突起１９Ｃと同様、当該係止突起２０Ｂが係止される係止受部１５Ａが、前記内部ホルダ１Ｃの引張り方向のストッパ部として機能するものとなっている。
【００５５】
なお、図１、図４中の符号Ｓは、内部ホルダ１Ｃのキー方向を見分けるマークであり、図１、図３中の符号Ｋは、光コネクタプラグ（図示せず）を、上下の方向を定めて挿入するためのキー溝である。
【００５６】
なお、本実施形態に係る周知のプラグ本体Ｐは、図９（ａ）、図９（ｂ）および図１０に示すように、光ファイパテープ心線の先端に取り付けられたフェルール２１と、このフェルール２１を先端に収納したスリーブ状のハウジング２２と、このハウジング２２外周に装着された不図示の内部スリーブと、内部スリーブに外挿してハウジング２２の軸線方向に確保した可動範囲でスライド移動可能に設けられた筒状のカップリング２３と、ハウジング２２内部に収納され前記フェルール２１を前側へ弾性付勢する不図示のスプリングと、前記ハウジング２２の前記フェルール２１が設けられている前端とは反対の後端部に取り付けられたブーツ２４とを概ね有している。
【００５７】
次に、以上のように構成された形態についての使用・動作の一例について、図９及び図１０に基づき説明する。
【００５８】
図９（ａ）に示すように、前記アダプタ本体１にプラグ本体Ｐが挿入される前では、プラグ挿入口２はシャッタ３の上下２枚の扉３Ａ、３Ｂが閉鎖方向に弾性部材４によって付勢され塞がれている。このとき、互いに閉じ方向に回動した上下２枚の扉３Ａ、３Ｂは、略鈍角Ｖ字状の窪み部１０Ａを形成した開口縁部１０によって略鈍角Ｖ字状の接合状態となって係止され、上下２枚の扉３Ａ、３Ｂの各先端部の平面部９Ａ、９Ｂは隙間のない面密着状となって当接保持されている。
【００５９】
次に、図９（ａ）に示すように、前記アダプタ本体１にプラグ本体Ｐが挿入されると、プラグ本体Ｐによって２枚の扉３Ａ、３Ｂが押し込まれ、カバー１Ｂの内側に向けて横向きの観音開きとなるように扉３Ａ、３Ｂは弾性部材４の付勢力に抗して内側へ回動する。
【００６０】
そして、図９（ｂ）に示すように、プラグ本体Ｐがさらに押し込まれて外部ハウジング１Ａのプラグ挿入口２に挿入されてくると、外部ハウジング１Ａ内側に嵌挿されている内部ホルダ１Ｃの係止アーム１３が互いに拡開する方向に撓曲し、プラグ本体Ｐ（不図示のフェルール）の左右壁面に形成されている不図示の係合部に係止アーム１３の先端が掛架され保持される。
【００６１】
一方、図１０に示すように、前記内部ホルダ１Ｃの他端開口側（外部ハウジング１Ａの他方のプラグ挿入口２）に他方のプラグ本体Ｐが挿入されると、上記と同様にして内部ホルダ１Ｃの係止アーム１３が互いに拡開する方向に撓曲し、プラグ本体Ｐの左右壁面に形成されている不図示の係止部に係止アーム１３の先端が掛架され保持される。こうして外部ハウジング１Ａの前後のプラグ挿入口２に各挿入されたプラグ本体Ｐ相互の光学基準面は互いに一致させた状態となって保持される。
【符号の説明】
【００６２】
Ｐ              プラグ本体
Ｆ              フランジ
Ｋ              キー溝
Ｓ              マーク
１              アダプタ本体
１Ａ            外部ハウジング
１Ｂ            カバー
１Ｃ            内部ホルダ
２              プラグ挿入口
３              シャッタ
３Ａ            上側の扉
３Ｂ            下側の扉
４              弾性部材
５              右側壁部
６              左側壁部
７Ａ、７Ｂ      軸孔
８Ａ、８Ｂ      突軸
９Ａ、９Ｂ      平面部
１０            開口縁部
１０Ａ          窪み部
１１Ａ、１１Ｂ  開口部
１２Ａ          係合孔部
１２Ｂ          係止突起
１３            係止アーム
１４            ガイド深底溝
１４Ａ          係止受部
１４Ｂ          壁面部
１５            ガイド浅底溝
１５Ａ          係止受部
１５Ｂ          係止突起
１５Ｃ          テーパ面
１５Ｄ          水平頂面部
１５Ｅ          垂直壁面部
１６            ガイド深底溝
１６Ａ          係止受部
１７            ガイド中間底溝
１７Ａ          係止受部
１８            ガイド浅底溝
１８Ａ          係止受部
１８Ｂ          係止突起
１８Ｃ          垂直壁面部
１９            係止突起
１９Ａ、１９Ｂ  係止突起
１９Ｃ          係止突起
１９Ｄ          後部垂直面
２０            係止突起
２０Ａ          係止突起
２０Ｂ          係止突起
２０Ｃ          後部垂直面
２１            フェルール
２２            ハウジング
２３            カップリング
２４            ブーツ
１００          プラグ挿入口
１０１          アーム状係止片
【図１】
2018151560.tif 000003
【図２】
2018151560.tif 000004
【図３】
2018151560.tif 000005
【図４】
2018151560.tif 000006
【図５】
2018151560.tif 000007
【図６】
2018151560.tif 000008
【図７】
2018151560.tif 000009
【図８】
2018151560.tif 000010
【図９】
2018151560.tif 000011
【図１０】
2018151560.tif 000012
【図１１】
2018151560.tif 000013
【図１２】
2018151560.tif 000014